(57)【要約】      （修正有） 【課題】車等のマットやカーペットに取付用脚部を有するネームプレートを取り付けるための係止体であって、ネームプレートの仮装着を簡単に行え、かつ仮装着状態から圧を加えた場合においてもきっちりと係止できる係止体を提供する。【解決手段】車等のマットＭやカーペットに取付用脚部２１を有するネームプレート２を取り付けるための係止体１であり、少なくとも鍔部１０と本体中央部の一面に形成された突出した挿入孔を有する円筒１１とを有し、円筒の一部においてその径を狭める方向にくぼんだへこみ部１２を有する係止体を用いて構成する。【選択図】図３
0003160890.tif 000002
【実用新案登録請求の範囲】
【請求項１】
取付対象体に取付用脚部２１を有するネームプレート２を取り付けるための係止体１であって、
該係止体１は少なくとも鍔部１０と本体中央部の一面に形成された突出した挿入孔１１０を有する円筒１１とを有すると共に円筒１１の一部においてその径を狭める方向にくぼんだへこみ部１２を有する係止体１からなることを特徴とする取付対象体に取付用脚部を有するネームプレートを取り付けるための係止体。
【請求項２】
取付対象体に取付用脚部２１を有するネームプレート２を取り付けるための係止体１であって、
少なくとも鍔部１０と本体中央部の一面に形成された突出した挿入孔１１０を有する円筒１１とを有する係止体１からなり、
ネームプレート２の取付用脚部２１を取付対象体に挿通した上で取付用脚部２１の先端方向を係止体１の円筒１１の挿入孔１１０内に挿入して仮装着した上で、
更に圧を加えて取付用脚部２１の先端部分を係止体１の挿入孔１１０内で変形させて本装着する係止体１であって、
該係止体１の円筒１１の一部においてその径を狭める方向にくぼんだへこみ部１２を有する係止体であり、
仮装着の際に取付用脚部２１を該へこみ部１２で円筒１１内にぐらつかずにきっちりと装着することを特徴とする取付対象体に取付用脚部を有するネームプレートを取り付けるための係止体。
【請求項３】
取付対象体が自動車のマット或いはカーペットであることを特徴とする請求項１又は２のいずれかに記載の取付対象体に取付用脚部を有するネームプレートを取り付けるための係止体。
【請求項４】
係止体１の円筒１１のへこみ部１２により挿入孔１１０の径が少なくとも取付用脚部２１の径とほぼ同一であることを特徴とする請求項１乃至３のいずれかに記載の取付対象体に取付用脚部を有するネームプレートを取り付けるための係止体。
【請求項５】
係止体１の円筒１１のへこみ部１２により挿入孔１１０の径が少なくとも取付用脚部２１の径よりもやや細径であることを特徴とする請求項１乃至３のいずれかに記載の取付対象体に取付用脚部を有するネームプレートを取り付けるための係止体。
【請求項６】
係止体１の円筒１１の外周にくぼみ部１２を一連で環状に形成したことを特徴とする請求項１乃至５のいずれかに記載の取付対象体に取付用脚部を有するネームプレートを取り付けるための係止体。
【請求項７】
係止体１の円筒１１の円周上の少なくとも１点方向からへこみ部１２を形成したことを特徴とする請求項１乃至５のいずれかに記載の取付対象体に取付用脚部を有するネームプレートを取り付けるための係止体。
【請求項８】
係止体１の円筒１１の両側方向から２点でへこみ部１２を形成したことを特徴とする請求項１乃至５のいずれかに記載の取付対象体に取付用脚部を有するネームプレートを取り付けるための係止体。
【請求項９】
係止体１の円筒１１の円周上の４点方向からへこみ部１２を形成したことを特徴とする請求項１乃至５のいずれかに記載の取付対象体に取付用脚部を有するネームプレートを取り付けるための係止体。
【請求項１０】
鍔部１０に代えて少なくとも取付対象体をネームプレートと挟める押え部を有することを特徴とする請求項１乃至９のいずれかに記載の取付対象体に取付用脚部を有するネームプレートを取り付けるための係止体。
【請求項１１】
係止体１の挿入孔１１０を有する円筒１１に代えて係止体１には角状筒を有することを特徴とする請求項１乃至１０のいずれかに記載の取付対象体に取付用脚部を有するネームプレートを取り付けるための係止体。
【請求項１２】
ネームプレートに代えて取付用脚部２１を有するプレート或いは装着体であることを特徴とする請求項１乃至１１のいずれかに記載の取付対象体に取付用脚部を有する装着体を取り付けるための係止体。
【考案の詳細な説明】
【技術分野】
【０００１】
本発明は、フロアマット或いはフロアカーペット等の取付対象体にネームプレート又は装着体を取り付けるための係止体に関する。
【背景技術】
【０００２】
車等の車内でフロアカーペットや更にこの上に敷かれるフロアマット等に関しては、従来より該カーペットやマットのデザインの一環として或いは使用対象者等の特定のため、或いは品質の保証乃至は商品価値の向上等を図るために、当該車の社名やロゴ或いは該取付対象体であるマット等のロゴ等を入れたネームプレートが装着されているものである。
この場合、マット等へのネームプレートの取り付けに際しては、予めネームプレートの裏面に取付用脚部を有し、該取りつけ脚部をフロアマット或いはフロアカーペット等の取付対象体を貫通させた上で裏側から係止体で脚部の先端を係止し、取付対象体に取り付けるものであった。
【０００３】
更に一歩進んで取付用脚部を有するネームプレートについてベースプレートを挟み込んで係止体でネームプレートの脚部の先端を係止する構成として特開２００５−１６２０８８号（特許文献１）が提唱されている。
又この他、固定具を用いて着脱自在に取り付ける構成として特開２００１−２９０４３３号（特許文献１）も提唱されている。
【先行技術文献】
【特許文献】
【０００４】
【特許文献１】特開２００５−１６２０８８号
【特許文献２】特開２００１−２９０４３３号
【考案の概要】
【考案が解決しようとする課題】
【０００５】
以上の様に、マットやカーペットにネームプレートを取り付ける構成として、ネームプレートの裏面に取付脚部を有し、この脚部をマットやカーペットを貫通された上で背面側から係止体で該脚部の先端を係止する構成は用いられているものである。
この場合係止体には脚部を挿入する挿入孔を有しているものであり、該係止体の挿入孔に脚部を挿入することによって係止するものであり、係止体にはさらに鍔部を有し、該鍔部で背面からマット等を抑えることにより係止状態の維持を図るものである。
【０００６】
従って、きっちりと装着するためには係止体の孔と脚部の径がほぼ一致するものを用いてきっちりと嵌入することにより、強固に装着を可能とする。
反面、係止体の装着を一つずつ行うことが必要となるものであり、作業効率の悪いものであった。
そこで、脚部の先端に強度を加えることにより変形可能とし、脚部の径よりもやや大きい孔を有し、脚部を係止体の孔に挿入する場合にはぐらつく程度径が異なる係止体を用い、予め脚部の先端を係止体の孔に挿入して、係止体を全て配置した状態で圧力を加えて係止体の孔内に挿入した状態の脚部の先端を変形させて孔内で外側に突出変形した先端部が孔内部から外部方向に圧を加えることにより強固な装着をする構成がとられているものである。
【０００７】
即ち一例として図７に示す様に脚部５１先端が円筒形状となり、先端部の肉厚が薄く、ネームプレート５方向に向かうに従い肉厚を増す様に形成された円筒形状の脚部５１と、他端方向に鍔部を有する一定の径を有する突出形成した円筒４１に形成した孔４０を有する係止体４とからなり、図７に示す様にこの脚部５１の先端に係止体４を仮装着し、さらに係止体４方向からネームプレート５方向に対して圧をかけることにより図８の断面図に示す様に脚部５１の先端が変形して係止体４の円筒４１の孔４０内できっちりと装着されるものとなる。
【０００８】
しかし、そもそも作業手順上、脚部５１の先端に係止体４を仮装着するものであり、その仮装着のためには、脚部５１の先端部分の径と係止体４の孔４０とが極めて近似する径とすると仮装着に手間がかかり、又仮装着自体が困難ともなりうるものである。
従って、現状として用いられている方法は簡単に仮装着できかつ圧を加えた状態できっちりと強固に装着できるほどの径の相違を有するものが用いられている。
【０００９】
この場合、そもそも両者の径はそれぞれ細径であることから、簡単なる仮装着を行う場合には仮装着の段階でどうしても係止体４が図８に示す様にぐらついて傾斜してしまうものが出てしまう。
従って圧を加えた段階でぐらつくことから斜め状態で仮装着され或いは斜め状態で圧が加わり、仮装着部分の脚部５１の破損や取付不備が出てしまうものである。
本考案は係る点に鑑み、仮装着を簡単に行え、かつ仮装着状態から圧を加えた場合においてもきっちりと係止できる構成を提供するものである。
【課題を解決するための手段】
【００１０】
係るために請求項１に係る考案は、取付対象体に取付用脚部を有するネームプレートを取り付けるための係止体であって、該係止体は少なくとも鍔部と本体中央部の一面に形成された突出した挿入孔を有する円筒とを有すると共に円筒の一部においてその径を狭める方向にくぼんだへこみ部を有する係止体からなるものであり、係る考案によって前記課題を解決できるものである。
【００１１】
或いは請求項２に係る考案のように取付対象体に取付用脚部を有するネームプレートを取り付けるための係止体であって、少なくとも鍔部と本体中央部の一面に形成された突出した挿入孔を有する円筒とを有する係止体からなり、ネームプレートの取付用脚部を取付対象体に挿通した上で取付用脚部の先端方向を係止体の円筒の挿入孔内に挿入して仮装着した上で、更に圧を加えて取付用脚部の先端部分を係止体の挿入孔内で変形させて本装着する係止体であって、該係止体の円筒の一部においてその径を狭める方向にくぼんだへこみ部を有する係止体であり、仮装着の際に取付用脚部を該へこみ部で円筒内にぐらつかずにきっちりと装着する係止体を用いたものでもよい。
【００１２】
これらの場合請求項３に係る考案のように、取付対象体が自動車のマット或いはカーペットであってもよい。
更には請求項４に係る考案のように係止体の円筒のへこみ部により挿入孔の径が少なくとも取付用脚部の径とほぼ同一である係止体でも、請求項５に係る考案のように係止体の円筒のへこみ部により挿入孔の径が少なくとも取付用脚部の径よりもやや細径である係止体を用いてもよい。
これらの場合請求項６に係る考案のように係止体の円筒の外周に一連に環状に形成した係止体を用いても、請求項７に係る考案のように係止体の円筒の円周上の少なくとも１点方向からへこみ部を形成した係止体を用いてもよい。
【００１３】
更には請求項８に係る考案のように係止体の円筒の両側方向から２点でへこみ部を形成したものでも、或いは請求項９に係る考案のように係止体の円筒の円周上の４点方向からへこみ部を形成した係止体を用いてもよいものである。
これらのほか、請求項１０に係る考案のように鍔部に代えて少なくとも取付対象体をネームプレートと挟める押え部を有する係止体を用いても、請求項１１に係る考案のように係止体の挿入孔を有する円筒に代えて係止体には角状筒を有する係止体を用いても、請求項１２に係る考案のようにネームプレートに代えて取付用脚部を有するプレート或いは装着体に用いる係止体であってもよい。
【考案の効果】
【００１４】
上記のように構成したことから、請求項１又は２に係る考案によって円筒形のくぼみによって円筒の挿入孔に挿入したネームプレートの取付用脚部を簡単に仮装着できると共に、更には該くぼみ部で取付用脚部を押さえることができるものであり、取付用脚部に取り付けた係止体がきっちりと装着できるものである。
従って、この後に圧を加えて脚部を嵌め込むに際してぐらつかず、所定の位置で装着できるものである。
このことは係止体のずれなどに伴う脚部の破損や係止体の破損或いは係止体が外れてしまう等の状態を避けることができるものであり、ネームプレートの装着を安全かつ簡単に行えると共に失敗のない装着を可能とするものである。
【００１５】
更に請求項３に係る考案によって、自動車のマットやカーペットに用いることができ、例えば自動車メーカー名や車種名或いは取付対象体のメーカー名やブランド名等を明示することを可能とする。
従って取付対象体のデザイン性を高め或いは価値を高めることを可能とする。
又請求項４に係る考案によってへこみ部により挿入孔が取付用脚部の径とほぼ同一であることにより取付用脚部を挿入孔内にぐらつかずきっちりと装着できるものであり、請求項５に係る考案のように挿入孔の径が取付用脚部よりもやや細径であっても、へこみ部を外部方向に押し広げた状態で装着でき、仮装着をきっちりとぐらつかない滋養体で装着できるものとなる。
【００１６】
従って、前記のように係止体のずれなどに伴う脚部の破損や係止体の破損或いは係止体が外れてしまう等の状態を避けることができるものであり、ネームプレートの装着を安全かつ簡単に行えると共に失敗のない装着を可能とするものである。
更に請求項６により環状のへこみ部により取付用脚部を外周よりまんべんなく押さえることができるものであり、又同様に請求項７に係る考案によって少なくとも一点のへこみ部により、又請求項８に係る考案により両側からの２点のへこみ部により、請求項９に係る考案によって円周上の４点のへこみ部からそれぞれきっちりと取付用脚部を外周より押さえるものであり、仮装着をきっちりと行えるものである。
【００１７】
更に請求項１０に係る考案のように係止体の鍔部は必ずしも鍔部形状ではなくとも挟める押え部を有するものでもよい。
これによって取付対象体にネームプレートをきっちりと装着できるものである。
又請求項１１に係る考案によって円筒に限らず角状筒を有し、該角状筒の挿入孔に取付用脚部を挿入するものでもよい。
例えば角柱等の脚部などにも対応でき、応用範囲の広い係止体の低起用を可能とする。
請求項１２に係る考案によればネームプレートに限らず他のプレートにも応用でき、更にはプレートに限らず装着体にも応用ができるきわめて汎用性の高い考案の提供を可能とするものである。
【図面の簡単な説明】
【００１８】
【図１】本考案に係る係止体の一例を示す図
【図２】本考案に係る係止体をネームプレートに取り付ける状態の一例を示す図
【図３】本考案に係る係止体の使用状態の一例を示す図
【図４】本考案に係る仮装着の係止体に圧をかけた装着状態の一例を示す図
【図５】本考案に係る係止体の他の一例を示す図
【図６】本考案に係る係止体の他の一例を示す図
【図７】一般的な係止体の一例を示す図
【図８】一般的な係止体の仮装着の状態の一例を示す図
【図９】一般的な係止体の本装着の状態の一例を示す図
【考案を実施するための形態】
【００１９】
本考案に係る基本的な構成を図１に示す。
本考案に係る係止体１は鍔部１０とこの中央部の一面に形成された突出した挿入孔１１０である中空の孔を有する円筒１１からなり、該円筒１１の一部例えば中央部においてその径を狭める方向にくぼんだへこみ部１２を有するものである。
本図に示す構成は円筒形の筒状部の中央部に外周上にわたってへこみ部１２を有するものである。
従って、このような構成の係止体１を、ネームプレート２の裏面に有する取付用脚部２１に挿入して仮装着するものである。
【００２０】
この場合係止体１の挿入孔の先端部分は開口の径が取付用脚部２１よりも大きいものであり、簡単に挿入できる。
反面その挿入に際して取付用脚部２１は更に係止体１の円筒１１の途中に設けたへこみ部１２の内周面側の突出部１２ａによって取付用脚部２１の外周をきっちりと仮押さえさせられるものとなり、仮装着の段階で簡単にネームプレート２の脚部を装着できると共にきっちりと係止した状態を保つことができる。
従って、この状態においては正確に圧をかけることができるものであり、取付用脚部２１を係止体１にきっちりと装着できるものとなる。
【００２１】
このことから仮装着後の本装着に際して、係止体１のはずれや取付用脚部２１の破損を極力避けることができる。
特に係止体１の鍔部１０とネームプレート２によって、マットやカーペットの取付対象体を挟み込んだ状態で装着できるものであり、ネームプレートをきっちりと装着できることとなる。
尚、鍔部１０に関しては必ずしも鍔部形状であることに限らず、例えばこれに代えて反対面から取付対象体を挟み込める押え部からなる構成によるものであってもよい。
本図において図１ａは上面図であり、図１ｂは側面図、図１ｃは中心部分である図１ａのＡ−Ａ線断面図である。
【００２２】
図２は、ネームプレート２の取付用脚部２１に係止体１を取り付ける際の状態を示す図である。
図３は、ネームプレート２の取付用脚部２１をマットＭやカーペットを挟んだ状態で取り付ける状態の一例を示す図である。
図２及び図３に示す様にネームプレート２をきっちり抑えることができるものであり、係止体１の鍔部１０によって取付対象体に装着できるものである。
図４は、仮装着の段階から圧をかけて取付用脚部２１の先端部を潰す状態により係止体１の円筒１１内で該方向に圧をかけてきっちりと装着している状態の例を示す図である。
【００２３】
もとより係止体１の円筒１１に設けたくぼんだへこみ部１２による内部への突出部分１２ａできっちりと取付用脚部２１を抑えるものである。
本図は例を示すものであり、先端部のつぶれ状況が他の状態で装着されるものであっても、或いは先端部がつぶれずに、へこみ部１２による突出部分で抑えられているものであってもよい。
これらに示す様に本考案に係る構成は従来の盲点を突く極めて画期的な構成であり、係止体１の一部に取付用脚部２１の仮装着をきっちり行うための該脚部とほぼ同等程度の径となるへこみ部１２を係止体１の挿入孔を有する円筒１１に形成するものであり、これにより極めて効果的に仮装着ができるものとなる。
【００２４】
尚、このへこみ部１２は取付用脚部２１の径とほぼ同程度の径を有するものの他、取付用脚部２１よりもやや細い径や取付用脚部２１よりもやや太い径であって、取付用脚部２１がぐらつかずに係止できる程度の径を有しているものであればよい。
即ちへこみ部１２によって円筒１１の挿入孔１１０の孔の径例えばへこみ部１２のへこんだ突出部１２ａから対向面の円筒１１の面或いは突出部１２ａまでの径が取付用脚部２１とほぼ同一程度あればきっちりと装着できるものであり、取付用脚部２１の径よりもやや細径であればへこみ部１２を押し広げて極めて密着し圧を加えた状態で装着できるものである。
【００２５】
もとより取付用脚部２１よりもやや太径であってもほぼ接触状態等であればきっちりとぐらつかない装着を可能とする。
従って、これらの径にあってもきっちりとネームプレート２の取付用脚部２１をきっちり挿入できるものである。
更に、取付用脚部２１の装着のためには、取付用脚部２１が係止体１の挿入孔を有する円筒１１の先端部分の開口径よりも細い径であることが必要である。
次にこのへこみ部１２に関しては、図１に示すような円筒１１の外周に一連に環状に形成した構成のほか、他の構成によりへこみ部１２を有するものであってもよい。
【００２６】
即ち図５に示す様に、円筒１１の両側方向から２点でへこみ部１２を形成し径を細めているものであっても、或いは図６に示すように円筒１１の円周上の４点方向からへこみ部１２を形成し径を細めるものであってもよい。
これらはいずれもへこみ部１２は同一水平面に有するものであるが、この構成に限らず円筒１１の上下方向にずれてへこみ部１２を形成するものであってもよい。
或いは、更に円筒１１の一点方向からへこみ部１２を形成し、そのへこみ部１２によって径を狭めるものであってもよい。
【００２７】
又これらのへこみ部１２は少なくとも円筒の先端部分から鍔部方向に向かって任意位置に設けているものであればよく、少なくとも取付用脚部２１をぐらつかずに円筒１１の挿入孔１１０内に係止可能な位置に有していればよい。
このようにネームプレート２の仮装着を係止体１で行うことにより、仮装着の状態において正しい位置にきっちりと装着できるものであり、この状態で圧をかけてネームプレート２の取付用脚部２１先端部分を潰して係止体１の円筒１１内で外部方向に変形することにより、きっちりと係止体１に固着できるものとなる。
【００２８】
尚、本考案においてはネームプレート２に限らず、各種プレートやその他のプレート或いは装着体であって、その取付用脚部２１を係止体１の円筒１１の挿入孔１１０に挿入して仮装着する各種装着体に用いてもよいものである。
更にマットＭやカーペットに装着するプレート２を前提として明示しているが、これに限らず他の厚みを有すると共に変形しやすい板状又はシート状の取付対象体に用いるものであってもよい。
更に係止体１の円筒１１は、円筒形状に限定されるものではなく複数の角を有する挿入孔１１０からなる空洞を有する角状筒でもよい。
【符号の説明】
【００２９】
１      係止体
１０    鍔部
１１    円筒
１２    へこみ部
１２ａ  突出部
１１０  挿入孔
２      ネームプレート
２１    取付用脚部
４      係止部
４０    孔
４１    円筒
５      ネームプレート
５１    脚部
Ｍ      マット
【図１】
0003160890.tif 000003
【図２】
0003160890.tif 000004
【図３】
0003160890.tif 000005
【図４】
0003160890.tif 000006
【図５】
0003160890.tif 000007
【図６】
0003160890.tif 000008
【図７】
0003160890.tif 000009
【図８】
0003160890.tif 000010
【図９】
0003160890.tif 000011
【手続補正書】
【提出日】平成22年5月7日(2010.5.7)
【手続補正１】
【補正対象書類名】実用新案登録請求の範囲
【補正対象項目名】全文
【補正方法】変更
【補正の内容】
【実用新案登録請求の範囲】
【請求項１】
取付対象体に取付用脚部２１を有するネームプレート２を取り付けるための係止体１であって、
該係止体１は少なくとも鍔部１０と本体中央部の一面に形成された突出した挿入孔１１０を有する円筒１１とを有すると共に円筒１１の一部においてその径を狭める方向にくぼんだへこみ部１２を有する係止体１からなることを特徴とする取付対象体に取付用脚部を有するネームプレートを取り付けるための係止体。
【請求項２】
取付対象体に取付用脚部２１を有するネームプレート２を取り付けるための係止体１であって、
少なくとも鍔部１０と本体中央部の一面に形成された突出した挿入孔１１０を有する円筒１１とを有する係止体１からなり、
ネームプレート２の取付用脚部２１を取付対象体に挿通した上で取付用脚部２１の先端方向を係止体１の円筒１１の挿入孔１１０内に挿入して仮装着した上で、
更に圧を加えて取付用脚部２１の先端部分を係止体１の挿入孔１１０内で変形させて本装着する係止体１であって、
該係止体１の円筒１１の一部においてその径を狭める方向にくぼんだへこみ部１２を有する係止体であり、
仮装着の際に取付用脚部２１を該へこみ部１２で円筒１１内にぐらつかずにきっちりと装着することを特徴とする取付対象体に取付用脚部を有するネームプレートを取り付けるための係止体。
【請求項３】
取付対象体が自動車のマット或いはカーペットであることを特徴とする請求項１又は２のいずれかに記載の取付対象体に取付用脚部を有するネームプレートを取り付けるための係止体。
【請求項４】
係止体１の円筒１１のへこみ部１２により挿入孔１１０の径が少なくとも取付用脚部２１の径とほぼ同一であることを特徴とする請求項１乃至３のいずれかに記載の取付対象体に取付用脚部を有するネームプレートを取り付けるための係止体。
【請求項５】
係止体１の円筒１１のへこみ部１２により挿入孔１１０の径が少なくとも取付用脚部２１の径よりもやや細径であることを特徴とする請求項１乃至３のいずれかに記載の取付対象体に取付用脚部を有するネームプレートを取り付けるための係止体。
【請求項６】
係止体１の円筒１１の外周にくぼみ部１２を一連で環状に形成したことを特徴とする請求項１乃至５のいずれかに記載の取付対象体に取付用脚部を有するネームプレートを取り付けるための係止体。
【請求項７】
係止体１の円筒１１の円周上の少なくとも１点方向からへこみ部１２を形成したことを特徴とする請求項１乃至５のいずれかに記載の取付対象体に取付用脚部を有するネームプレートを取り付けるための係止体。
【請求項８】
係止体１の円筒１１の両側方向から２点でへこみ部１２を形成したことを特徴とする請求項１乃至５のいずれかに記載の取付対象体に取付用脚部を有するネームプレートを取り付けるための係止体。
【請求項９】
係止体１の円筒１１の円周上の４点方向からへこみ部１２を形成したことを特徴とする請求項１乃至５のいずれかに記載の取付対象体に取付用脚部を有するネームプレートを取り付けるための係止体。
【請求項１０】
鍔部１０に代えて少なくとも取付対象体をネームプレートと挟める押え部を有することを特徴とする請求項１乃至９のいずれかに記載の取付対象体に取付用脚部を有するネームプレートを取り付けるための係止体。
【請求項１１】
係止体１の挿入孔１１０を有する円筒１１に代えて係止体１には角状筒を有することを特徴とする請求項１乃至１０のいずれかに記載の取付対象体に取付用脚部を有するネームプレートを取り付けるための係止体。
【手続補正３】
【補正対象書類名】明細書
【補正対象項目名】０００１
【補正方法】変更
【補正の内容】
【０００１】
本考案は、フロアマット或いはフロアカーペット等の取付対象体にネームプレートを取り付けるための係止体に関する。
【手続補正４】
【補正対象書類名】明細書
【補正対象項目名】００１３
【補正方法】変更
【補正の内容】
【００１３】
更には請求項８に係る考案のように係止体の円筒の両側方向から２点でへこみ部を形成したものでも、或いは請求項９に係る考案のように係止体の円筒の円周上の４点方向からへこみ部を形成した係止体を用いてもよいものである。
これらのほか、請求項１０に係る考案のように鍔部に代えて少なくとも取付対象体をネームプレートと挟める押え部を有する係止体を用いても、請求項１１に係る考案のように係止体の挿入孔を有する円筒に代えて係止体には角状筒を有する係止体を用いてもよい。
【手続補正５】
【補正対象書類名】明細書
【補正対象項目名】００１７
【補正方法】変更
【補正の内容】
【００１７】
更に請求項１０に係る考案のように係止体の鍔部は必ずしも鍔部形状ではなくとも挟める押え部を有するものでもよい。
これによって取付対象体にネームプレートをきっちりと装着できるものである。
又請求項１１に係る考案によって円筒に限らず角状筒を有し、該角状筒の挿入孔に取付用脚部を挿入するものでもよい。
例えば角柱等の脚部などにも対応でき、応用範囲の広い係止体の提供を可能とする。